(57)【要約】【課題】  流量比率の調節を容易に行うことができるようにする。【解決手段】  送り込まれた噴霧用気体の噴出に伴い液を吸い込んで噴霧させるための噴霧用ノズル２と、ノズル２へ上記気体を送り込むとともに該気体の送り込み量を調節する気体送り込み装置３と、ノズル２の液吸い込み側に設けられた液吸い込み用の管４と、ノズル２の液吸い込み側に、上記液吸い込み用の管４と並設された１または２以上の可撓性の液送り出し用チューブ５と、チューブ５の途中に設けられ、チューブ５を押し付けて閉塞しつつその閉塞位置をノズル２側へ移動させるとともにその移動速度を調整する液送り出し手段６とを具備する。【選択図】      図１
2006088117.tif 000002
【特許請求の範囲】
【請求項１】
送り込まれた噴霧用気体の噴出に伴い液を吸い込んで噴霧させるための噴霧用ノズルと、
該ノズルへ上記気体を送り込むとともに該気体の送り込み量を調節する気体送り込み装置と、
該ノズルの液吸い込み側に設けられた液吸い込み用の管と、
該ノズルの液吸い込み側に、上記液吸い込み用の管と並設された１または２以上の可撓性の液送り出し用チューブと、
該チューブの途中に設けられ、該チューブを押し付けて閉塞しつつその閉塞位置をノズル側へ移動させるとともにその移動速度を調整する液送り出し手段とを具備することを特徴とする噴霧装置。
【請求項２】
前記液送り出し手段は、チューブの途中を円弧状に湾曲させて保持する湾曲内周面を有する保持部材と、該保持部材にて保持されたチューブを湾曲内周面へ押し付けて閉塞させる少なくとも２以上の閉塞部材と、これら閉塞部材を湾曲内周面に沿って移動させる回転部材とを備え、該回転部材は回転速度が調整される構成となっていることを特徴とする請求項１に記載の噴霧装置。
【請求項３】
前記湾曲内周面の内側または閉塞部材のチューブ側に、クッション材が設けられていることを特徴とする請求項２に記載の噴霧装置。
【発明の詳細な説明】
【技術分野】
【０００１】
本発明は、例えば脱臭液などの各種液体を、噴霧用気体の噴出に伴わせて噴霧する噴霧装置に関する。
【背景技術】
【０００２】
上述した噴霧装置として、複数の液を混合して噴霧するものが知られている（特許文献１参照）。
【０００３】
この噴霧装置は、噴霧ノズルの吸い込み側に複数の管が、出側端部を同一面上に揃えて設けられていて、これらの管の出側端部を覆うように回転板が配置され、その回転板に管の出側端部を通りかつ深さを変化させて設けた溝の深さを、回転板の回転角度により変化させることで、管出側端部と溝底との隙間の大きさを調整し、複数の液の混合比率を変化させるように構成されている。
【特許文献１】特開昭６１−１８４５９号公報
【発明の開示】
【発明が解決しようとする課題】
【０００４】
しかしながら、上述した特許文献１の技術による場合には、回転板の角度調整により前記隙間の調整が可能であっても、各管の出側端部の位置が決まっているとともに、溝深さが回転板の位置に応じて決まっているため、或る管の流量を調整すると、他の管の出側端部と溝深さとの位置関係も変化するために他の管の流量も変化し、流量比率の調節が難しいという難点があった。
【０００５】
本発明は、このような従来技術の課題を解消するためになされたものであり、流量比率の調節を容易に行うことができる噴霧装置を提供することを目的とする。
【課題を解決するための手段】
【０００６】
請求項１の発明は、送り込まれた噴霧用気体の噴出に伴い液を吸い込んで噴霧させるための噴霧用ノズルと、該ノズルへ上記気体を送り込むとともに該気体の送り込み量を調節する気体送り込み装置と、該ノズルの液吸い込み側に設けられた液吸い込み用の管と、該ノズルの液吸い込み側に、上記液吸い込み用の管と並設された１または２以上の可撓性の液送り出し用チューブと、該チューブの途中に設けられ、該チューブを押し付けて閉塞しつつその閉塞位置をノズル側へ移動させるとともにその移動速度を調整する液送り出し手段とを具備することを特徴とする。
【０００７】
請求項２の発明は、前記液送り出し手段は、チューブの途中を円弧状に湾曲させて保持する湾曲内周面を有する保持部材と、該保持部材にて保持されたチューブを湾曲内周面へ押し付けて閉塞させる少なくとも２以上の閉塞部材と、これら閉塞部材を湾曲内周面に沿って移動させる回転部材とを備え、該回転部材は回転速度が調整される構成となっていることを特徴とする。
【０００８】
請求項３の発明は、前記湾曲内周面の内側または閉塞部材のチューブ側に、クッション材が設けられていることを特徴とする。
【発明の効果】
【０００９】
請求項１の発明による場合には、気体送り込み装置がノズルへ噴霧用気体を送り込むと、液吸い込み用の管からノズルへ液が吸い込まれる。このとき、気体送り込み装置による気体の送り込み量の調節により、液吸い込み用の管を介してノズルへ吸い込まれる液の量が調整される。一方、ノズルへは、液送り出し用チューブから液が液送り出し手段により強制的に送り込まれる。よって、気体送り込み装置により気体の送り込み量を或る一定値に調節すると、液吸い込み用の管を介してノズルへ吸い込まれる液の量が一定値に調整されるが、このとき、液送り出し手段により液送り出し用チューブから液が強制的に送り込まれていると、その送り込まれる液量分だけ液吸い込み用の管を介してノズルへ吸い込まれる液の量が減少する。このため、各液の混合比率は、気体送り込み装置による気体の送り込み量と、液送り出し手段による液の強制的な送り出し量とに基づき、一義的に決定されるので、流量比率の調節を容易に行うことができる。
【００１０】
請求項２の発明による場合には、保持部材にて保持されたチューブを閉塞部材が湾曲内周面へ押し付けると、チューブが閉塞してチューブ内を送られる液が堰止められるが、閉塞部材を回転部材が湾曲内周面に沿って移動させるので、液を堰止めつつ移動させることが可能となる。そして、閉塞部材が湾曲内周面から外れると、堰止められていた液がノズルへ強制的に送り込まれる。このとき、別の閉塞部材が湾曲内周面へチューブを押し付けるように配置しておくことで、所定量の液の強制的送り込みが可能となる。
【００１１】
請求項３の発明による場合には、閉塞部材と湾曲内周面との離隔距離が部分的に変動しても、クッション材がその変動を吸収するので、閉塞部材によるチューブの閉塞化を確実に行わせ得、液の堰止め不良を防止できる。
【発明を実施するための最良の形態】
【００１２】
以下に、本発明を具体的に説明する。
【００１３】
図１は本実施形態に係る噴霧装置の全体構成を示す模式図で、図２はその噴霧装置に設けられた噴霧用ノズルを示す側面断面図、図３はその噴霧装置に設けられた液送り出し手段を示す平面図、図４は図３のＡ−Ａ線による断面図である。
【００１４】
この噴霧装置１は、図１に示すように噴霧用ノズル２と、ノズル２へ噴霧用気体を送り込む気体送り込み装置３と、ノズル２に接続された液吸い込み用の管４と、ノズル２に接続された可撓性の液送り出し用チューブ５と、チューブ５の途中に設けられた液送り出し手段６とを具備する。
【００１５】
噴霧用ノズル２は、図２に示すように気体供給口２ａと液吸い込み口２ｂと噴出口２ｃとを有し、気体供給口２ａへ気体送り込み装置３から送り込まれた噴霧用気体の噴出口２ｃからの噴出に伴い、液吸い込み口２ｂへ液を吸い込んで、噴出口２ｃから気体と一緒に噴霧させるように構成されており、液吸い込み口２ｂには、上記管４とチューブ５の各先端が並設状態で接続されている。管４の基端は、第１容器７に貯留された液７ａ、例えば脱臭液に浸漬され、チューブ５の基端は、第２容器８に貯留された液８ａ、例えば希釈水に浸漬されている。なお、図２中の２ｄは、噴霧調整バルブである。
【００１６】
気体送り込み装置３は、例えばコンプレッサーからなり、ノズル２へ送り込む気体の送り込み量を調節することができる。よって、上記液７ａは、気体送り込み装置３からノズル２へ送り込まれる噴霧用気体の噴出量に応じた量で管４にて吸い込まれ、ノズル２へ供給される。
【００１７】
液送り出し手段６は、可撓性のチューブ５の途中を円弧状に湾曲させて保持する湾曲内周面１０ａを有する保持部材１０と、湾曲内周面１０ａの内面に貼着されたクッション材１１と、保持部材１０にて保持されたチューブ５を湾曲内周面１０ａへ押し付けて閉塞させる２つの閉塞部材としての円柱体１２と、これら円柱体１２を湾曲内周面１０ａに沿って移動させる回転部材１３とを備える。上記回転部材１３は、支柱１３ｂにより一定距離離隔して対向配設された一対の円形板１３ａと、これら円形板１３ａに図示しない取付部材を介してモータ軸１４ａが取付けられた電動モータ１４とを有し、電動モータ１４により回転速度が調整されるようになっており、上述した一対の円形板１３ａの間に挟まれ、かつ軸１２ａを各円形板１３ａの外周縁近傍に回動可能に支持されて上記円柱体１２が設けられている。
【００１８】
また、円柱体１２と湾曲内周面１０ａとの間の距離は、クッション材１１の厚み寸法と、チューブ５の肉厚の二倍の寸法との合計よりも少し短く設定されていて、上記円柱体１２は湾曲内周面１０ａと向かい合うとき、保持部材１０にて保持されたチューブ５を湾曲内周面１０ａへ押し付けて閉塞させ、チューブ５内を送られる液８ａを堰止める。そして、上記円柱体１２は、回転部材１３が電動モータ１４により回転駆動されると湾曲内周面１０ａに沿って公転するとともに、チューブ５を閉塞させつつ自転する。加えて、湾曲内周面１０ａは、円形板１３ａの半周よりも長く設定されていて、一方の円柱体１２がチューブ５を湾曲内周面１０ａへ押し付けて閉塞させた状態から公転し、湾曲内周面１０ａより外れてチューブ５が非閉塞、つまり液８ａを通流させる状態に変位する前に、他方の円柱体１２がチューブ５を湾曲内周面１０ａへ押し付けて閉塞させるように構成されているので、一定量の液８ａを堰止めつつ移動させることが可能となる。そして、円柱体１２が湾曲内周面１０ａから外れると、堰止められていた一定量の液８ａをノズル２へ強制的に送り込む。その送り込み量は、モータ１４の回転速度を調節することで調整される。
【００１９】
このように液８ａを送り込む円柱体１２と湾曲内周面１０ａとの間には、クッション材１１が設けられているので、円柱体１２と湾曲内周面１０ａとの離隔距離が部分的に変動しても、クッション材１１がその変動を吸収するため、円柱体１２によるチューブ５の閉塞化を確実に行うことができ、これにより液８ａの堰止め不良を防止できる。なお、クッション材１１は、円柱体１２の外周側（チューブ側）に設けてもよい。
【００２０】
このように構成された本実施形態に係る噴霧装置１による場合には、気体送り込み装置３がノズル２へ噴霧用気体を送り込むと、液吸い込み用の管４からノズル２へ液７ａが吸い込まれる。このとき、気体送り込み装置３による気体の送り込み量の調節により、液吸い込み用の管４を介してノズル２へ吸い込まれる液７ａの量が調整される。一方、ノズル２へは、上述したように液送り出し用チューブ５から液８ａが液送り出し手段６により強制的に送り込まれる。よって、気体送り込み装置３により気体の送り込み量を或る一定値に調節すると、液吸い込み用の管４を介してノズル２へ吸い込まれる液７ａの量が一定値に調整されるが、このとき、液送り出し手段６により液送り出し用チューブ５から液８ａが強制的に送り込まれていると、その送り込まれる液量分だけ液吸い込み用の管４を介してノズル２へ吸い込まれる液７ａの量が減少する。このため、各液７ａ、８ａの混合比率は、気体送り込み装置３による気体の送り込み量と、液送り出し手段６による液８ａの強制的な送り出し量とに基づき、一義的に決定される。
【００２１】
例えば、モータ１４の回転を停止して液送り出し手段６をオフした状態で、気体送り込み装置３をオンすると、液吸い込み用の管４へ液７ａが吸い込まれ、ノズル２から噴出される。このときのノズル２からの液７ａの噴出量は、気体送り込み装置３としてのコンプレッサ圧に応じた一定量となる。ここで、その一定量を、例えば１０ミリリットルとする。そして、コンプレッサ圧をそのままにし、モータ１４の回転を、液８ａの送り出し量が５ミリリットルとなるように設定すると、ノズル２からの噴出量はコンプレッサ圧に応じた１０ミリリットルであるため、液吸い込み用の管４を介してノズル２から噴出される液７ａの量は５ミリリットルとなる。よって、本実施形態による場合には、流量比率の調節を容易に行うことができる。
【００２２】
なお、上述した実施形態における液送り出し手段を、保持部材の湾曲内周面とこれに沿って移動する円柱体との間で液送り出し用チューブを押し付けて閉塞させる構成としているが、本発明はこれに限らない。例えば、直線状の板と直線状に往復移動する円柱体との間で液送り出し用チューブを押し付けて閉塞させる構成としてもよい。
【００２３】
また、上述した実施形態では液送り出し用チューブ及び液送り出し手段を一つ設けた構成としているが、本発明はこれに限らず、液送り出し用チューブ及び液送り出し手段を２つ以上設けた構成としてもよいことは勿論である。
【図面の簡単な説明】
【００２４】
【図１】本発明の一実施形態に係る噴霧装置の全体構成を示す模式図である。
【図２】図１の噴霧装置に設けられた噴霧用ノズルを示す側面断面図である。
【図３】図１の噴霧装置に設けられた液送り出し手段を示す平面図である。
【図４】図３のＡ−Ａ線による断面図である。
【符号の説明】
【００２５】
１    噴霧装置
２    噴霧用ノズル
３    気体送り込み装置
４    液吸い込み用の管
５    液送り出し用チューブ
６    液送り出し手段
７ａ、８ａ    液
１０    保持部材
１０ａ    湾曲内周面
１１    クッション材
１２    円柱体（閉塞部材）
１３    回転部材
【図１】
2006088117.tif 000003
【図２】
2006088117.tif 000004
【図３】
2006088117.tif 000005
【図４】
2006088117.tif 000006